(57)【要約】      （修正有）【課題】コーヒー液の流通を促進し、水が醸造室の上部から溢れることを防止することができるコーヒーメーカーを提供する。【解決手段】コーヒーメーカーは、ハウジング１と、ハウジング１の中に装着された醸造室２と、を備え、醸造室２の中には、コーヒー豆を粉砕するためのカッター３が装着され、醸造室２の底板には、コーヒーを循環させるための複数の第一フィルター孔が設けられ、醸造室２の側壁の下端には、コーヒーを循環させるための複数の第二フィルター孔が設けられており、ハウジング１と醸造室２との間には、循環空間が形成され、循環空間は、第一フィルター孔及び第二フィルター孔と対応して互いに協力し、ハウジング１には、循環空間と連接するコーヒー液出口６が設けられる。【選択図】図２
0003215340.tif 000002
【実用新案登録請求の範囲】
【請求項１】
ハウジングと、前記ハウジングの中に装着された醸造室と、を備える醸造室の構造が改善されたコーヒーメーカーであって、
前記醸造室の中には、コーヒー豆を粉砕するためのカッターが装着され、前記醸造室の底板には、コーヒーを循環させるための複数の第一フィルター孔が設けられており、前記醸造室の側壁の下端には、コーヒーを循環させるための複数の第二フィルター孔が設けられており、
前記ハウジングと前記醸造室との間には、循環空間が形成され、前記循環空間は、前記第一フィルター孔及び前記第二フィルター孔と対応して互いに協力し、前記ハウジングには、前記循環空間と連接するコーヒー液出口が設けられることを特徴とする醸造室の構造が改善されたコーヒーメーカー。
【請求項２】
前記醸造室には、全体に複数の第二フィルター孔が開設された環状フィルターが装着され、前記醸造室における前記環状フィルターに対応する箇所には、複数の開口部が設けられ、前記第二フィルター孔は、前記開口部から露出することを特徴とする請求項１に記載の醸造室の構造が改善されたコーヒーメーカー。
【請求項３】
前記開口部は、複数があり、且つ前記醸造室の円周方向に沿って均一に分布されることを特徴とする請求項２に記載の醸造室の構造が改善されたコーヒーメーカー。
【請求項４】
前記循環空間は、前記醸造室の底部側壁と前記ハウジングの底部側壁との間の上部空間と、前記醸造室のボトムボードと前記ハウジングのボトムボードとの間の下部空間を含むことを特徴とする請求項１に記載の醸造室の構造が改善されたコーヒーメーカー。
【請求項５】
前記醸造室の上方には、注水口が設けられ、前記コーヒー液出口は、前記ハウジングのボトムボードに近接するように前記ハウジングの側壁に設けられ、前記コーヒー液出口の底面は、前記ハウジングのボトムボードと同一平面内にあることを特徴とする請求項４に記載の醸造室の構造が改善されたコーヒーメーカー。
【請求項６】
前記コーヒー液出口の内側には、第一粉末バリアゾーンが設けられることを特徴とする請求項５に記載の醸造室の構造が改善されたコーヒーメーカー。
【請求項７】
前記第一粉末バリアゾーンは、尖った形状を呈し、前記第一粉末バリアゾーンの広口端は、前記コーヒー液出口に対応していることを特徴とする請求項６に記載の醸造室の構造が改善されたコーヒーメーカー。
【請求項８】
前記ハウジングのボトムボードには、複数の第二粉末バリアゾーンが放射状に配列されていることを特徴とする請求項７に記載の醸造室の構造が改善されたコーヒーメーカー
【請求項９】
前記ハウジングの前記ボトムボードの板面は、前記コーヒー液出口に向って下向きに傾斜するように設けられることを特徴とする請求項８に記載の醸造室の構造が改善されたコーヒーメーカー
【請求項１０】
各第二フィルター孔から前記醸造室のボトムボードまでの高さは、１０ｍｍより大きいであることを特徴とする請求項１に記載の醸造室の構造が改善されたコーヒーメーカー。
【考案の詳細な説明】
【技術分野】
【０００１】
本考案は、醸造室の構造が改善されたコーヒーメーカーに関するものである。
【背景技術】
【０００２】
現在、コーヒーメーカーは、一般的な家電製品は、注水から、コーヒー豆／コーヒー粉末のセット、コーヒーの醸造までの全ての作業を完了することができる。人々に新鮮で美味しいコーヒーを提供するために、原料が異なれば、コーヒーメーカーの醸造室の構造も異なる。通常、醸造室には、コーヒー豆を粉砕及び撹拌するためのカッターが装着される。使用する時には、コーヒー豆を粉末にして均一に撹拌した後に、お湯を加えて、コーヒーを醸造する。しかし、従来のコーヒーメーカーの醸造室は合理的なフィルター構造を有しないため、コーヒー豆があまりにも細かく粉砕される時には、コーヒーの口当たりは良いが、コーヒー粉末が細すぎ、フィルター孔に入り易く、水の流出速度が遅くなることを招いてしまう。これにより、水が醸造室の上部から溢れることが発生してしまう。従って、既存のコーヒーメーカーを改善する必要がある。
【考案の概要】
【考案が解決しようとする課題】
【０００３】
本考案は、醸造室の構造が改善され、水が醸造室の上部から溢れることを防止することができるコーヒーメーカーを提供することを目的とする。
【課題を解決するための手段】
【０００４】
上記の課題を解決するために、本考案に係る醸造室の構造が改善されたコーヒーメーカーは、ハウジングと、前記ハウジングの中に装着された醸造室と、を備え、前記醸造室の中には、コーヒー豆を粉砕するためのカッターが装着され、前記醸造室の底板には、コーヒーを循環させるための複数の第一フィルター孔が設けられており、前記醸造室の側壁の下端には、コーヒーを循環させるための複数の第二フィルター孔が設けられており、前記ハウジングと前記醸造室との間には、循環空間が形成され、前記循環空間は、前記第一フィルター孔及び前記第二フィルター孔と対応して互いに協力し、前記ハウジングには、前記循環空間と連接するコーヒー液出口が設けられる。
【０００５】
さらに、前記醸造室には、全体に複数の第二フィルター孔が開設された環状フィルターが装着され、前記醸造室における前記環状フィルターに対応する箇所には、複数の開口部が設けられ、前記第二フィルター孔は、前記開口部から露出する。
【０００６】
さらに、前記開口部は、複数があり、且つ前記醸造室の円周方向に沿って均一に分布される。
【０００７】
さらに、前記循環空間は、前記醸造室の底部側壁と前記ハウジングの底部側壁との間の上部空間と、前記醸造室のボトムボードと前記ハウジングのボトムボードとの間の下部空間を含む。
【０００８】
さらに、前記醸造室の上方には、注水口が設けられ、前記コーヒー液出口は、前記ハウジングのボトムボードに近接するように前記ハウジングの側壁に設けられ、前記コーヒー液出口の底面は、前記ハウジングのボトムボードと同一平面内にある。
【０００９】
さらに、コーヒー液出口の内側には、第一粉末バリアゾーンが設けられる。
【００１０】
さらに、前記第一粉末バリアゾーンは、尖った形状を呈し、前記第一粉末バリアゾーンの広口端は、前記コーヒー液出口に対応している。
【００１１】
さらに、前記ハウジングのボトムボードには、複数の第二粉末バリアゾーンが放射状に配列されている。
【００１２】
さらに、前記ハウジングの前記ボトムボードの板面は、前記コーヒー液出口に向って下向きに傾斜するように設けられる。
【００１３】
さらに、各第二フィルター孔から前記醸造室のボトムボードまでの高さは、１０ｍｍより大きい。
【考案の効果】
【００１４】
本考案に係るコーヒーメーカーは、適切な箇所にフィルター孔を設けることによって、水の流量（流れ速度）を確保すると共に、コーヒーの味を確保することができる。
【図面の簡単な説明】
【００１５】
【図１】本考案のコーヒーメーカーの全体構造を示す斜視図である。
【図２】本考案のコーヒーメーカーの断面図である。
【図３】本考案のコーヒーメーカーのハウジングを示す斜視図である。
【図４】本考案のコーヒーメーカーの醸造室を示す図である。
【図５】本考案のコーヒーメーカーの醸造室に設けられたフィルター孔を示す図である。
【図６】本考案のコーヒーメーカーの環状フィルターを示す図である。
【考案を実施するための形態】
【００１６】
以下、具体的な実施例及び図面を参照しながら、本考案の構成、目的及び利点などを詳細に説明する。ただし、ここで記述する具体的な実施例は、本考案を解釈するためのものであり、本考案を制限するものではない。
【００１７】
図１〜図６に示すように、本考案に係る醸造室の構造が改善されたコーヒーメーカーは、ハウジング１と、ハウジング１の中に装着された醸造室２と、醸造室２内に設けられたカッター３と、を備える。醸造室２の底板には、コーヒーが循環するための第一フィルター孔２０１が複数設けられている。醸造室２の側壁の下端には、コーヒーが循環するための第二フィルター孔２０２が複数設けられている。カッター３は、コーヒー豆を加工することに用いられる。ハウジング１と醸造室２との間には、循環空間が形成される。前記循環空間は、第一フィルター孔２０１及び第二フィルター孔２０２と対応して互いに協力する。また、ハウジング１には、前記循環空間と連接するコーヒー液出口６が設けられる。前記底板における第一フィルター孔２０１と前記側壁における第二フィルター孔２０２との協力によって、本考案の改善後のコーヒーメーカーは、コーヒーの流れ速度を高め、従来のコーヒーメーカーの流れ速度が遅い問題を解決し、非常に細かいコーヒー粉末により醸造されたコーヒーを速やかに流出させるための複数の流路を備える。例えば、第一フィルター孔２０１が次第に詰まる時に、コーヒー液がそこで貯められることがなく、前記側壁の第二フィルター孔２０２は、ガイド役割を果たして、水が醸造室２の上部から溢れることを効果的に防止することができる。
【００１８】
第二フィルター孔２０２の形成方法は、多くの種類がある。例えば、第二フィルター孔２０２は、醸造室２の底部の側壁において直接に開設され、又は全体に複数の第二フィルター孔２０２が開設された環状フィルター７を採用して、それを醸造室２に装着する。醸造室２における環状フィルター７に対応する箇所には、複数の開口部２０が設けられている。第二フィルター孔２０２は、開口部２０から露出する。環状フィルター７を分解して洗浄することは、容易である。また、環状フィルター７を組み立てる場合には、第二フィルター孔２０２と各開口部２０とが円周方向において一々対応する問題を考慮することなく、環状フィルター７を開口部２０に対応させるようにして装着すれば良く、環状フィルター７を回転して調節する必要がない。開口部２０の数は、通常複数であり（例えば、四つがある）、且つ醸造室２の円周方向に沿って均一に分布される。
【００１９】
醸造室２の注水口５は、その上方に設けられ、且つ水路１００と連通される。コーヒー液出口６は、ハウジング１のボトムボードに近接するようにハウジング１の側壁に設けられる。一般的には、残りのコーヒーがコーヒーメーカーの中に残留して外へ流出しないことを防止するために、コーヒー液出口６の底面は、ハウジング１のボトムボードと同一平面上にある。
【００２０】
コーヒー液出口６の内側には、第一粉末バリアゾーン６１が設けられる。コーヒーの中のコーヒー豆の粉末は、沈降する可能性がある。第一粉末バリアゾーン６１によって、沈降した粉末を効果的に留めることができる。これにより、流出したコーヒーの口当たりは、さらにより滑らかで繊細である。ハウジング１のボトムボードには、複数の第二粉末バリアゾーン６２が配列されている。複数の第二粉末バリアゾーン６２は、放射状に分布されている。第二粉末バリアゾーン６２の作用は、第一粉末バリアゾーン６１の作用と同じである。このような合理的な分布によって、コーヒー豆の粉末のブロッキング効果は強められる。
【００２１】
好ましくは、第一粉末バリアゾーン６１は、尖った形状を呈する。第一粉末バリアゾーン６１の広口端は、コーヒー液出口６に対応しており、コーヒー液がコーヒー液出口６内に流れ込む時の流れ方向に順応する。このような最も簡単な構造は、最も広い範囲のブロッキング効果を形成する。一般的には、コーヒーが速やかに流れ出すことを促進し、コーヒー液が醸造室２の中に残ることを防止するために、ハウジング１のボトムボードの板面をコーヒー液出口６に向って下向きに傾斜するように設ける。
【００２２】
本考案のコーヒーメーカーを利用してコーヒーを作る時に、コーヒー豆を醸造室２の中に直接に入れ、モーターによってカッター３を駆動して動作させて、コーヒー豆を粉砕する。カッター３が動作を停止すると、上方の注水口５から醸造室２の中にお湯をスプレーする。醸造室２により醸造された後のコーヒーは、第一フィルター孔２０１、第二フィルター孔２０２を通過して、循環空間を介してコーヒー液出口６、コーヒーアウトレットチャンネル１０１からカップの中に流れる。各フィルター孔に対応する循環空間は、一般的に醸造室２の底部側壁とハウジング１の底部側壁との間の上部空間と、醸造室２のボトムボードとハウジング１のボトムボードとの間の下部空間４を含む。
【００２３】
第二フィルター孔２０２と醸造室２のボトムボードとの間の高さは、少なくとも１０ｍｍより大きい。一般的には、１５ｍｍ以上である。これにより、醸造室２の中に加えられたお湯がコーヒー粉と十分に接触して反応して、コーヒーを生成して流出することは確保される。通常、第一フィルター孔２０１と第二フィルター孔２０２との孔径は、０．５〜１．５ｍｍである。
【００２４】
以上、好適な具体例を挙げて本考案を説明してきたが、本考案は、上述の実施形態に限定されるものではなく、その要旨を逸脱しない範囲において、種々な変更又は取替えが可能であることは言うまでもない。この変更又は取替えに基づく様々な変形例も本考案の保護範囲に含まれることは明らかである。
【符号の説明】
【００２５】
１      ハウジング
２      醸造室
３      カッター
４      下部空間
５      注水口
６      コーヒー液出口
７      環状フィルター
２０    開口部
６１    第一粉末バリアゾーン
６２    第二粉末バリアゾーン
１００  水路
１０１  コーヒーアウトレットチャンネル
２０１  第一フィルター孔
２０２  第二フィルター孔
【図１】
0003215340.tif 000003
【図２】
0003215340.tif 000004
【図３】
0003215340.tif 000005
【図４】
0003215340.tif 000006
【図５】
0003215340.tif 000007
【図６】
0003215340.tif 000008
【手続補正書】
【提出日】平成30年1月6日(2018.1.6)
【手続補正１】
【補正対象書類名】実用新案登録請求の範囲
【補正対象項目名】全文
【補正方法】変更
【補正の内容】
【実用新案登録請求の範囲】
【請求項１】
ハウジングと、前記ハウジングの中に装着された醸造室と、を備える醸造室の構造が改善されたコーヒーメーカーであって、
前記醸造室の中には、コーヒー豆を粉砕するためのカッターが装着され、前記醸造室の底板には、コーヒーを循環させるための複数の第一フィルター孔が設けられており、前記醸造室の側壁の下端には、コーヒーを循環させるための複数の第二フィルター孔が設けられており、
前記ハウジングと前記醸造室との間には、循環空間が形成され、前記循環空間は、前記第一フィルター孔及び前記第二フィルター孔と対応して互いに協力し、前記ハウジングには、前記循環空間と連接するコーヒー液出口が設けられることを特徴とする醸造室の構造が改善されたコーヒーメーカー。
【請求項２】
前記醸造室には、全体に複数の第二フィルター孔が開設された環状フィルターが装着され、前記醸造室における前記環状フィルターに対応する箇所には、複数の開口部が設けられ、前記第二フィルター孔は、前記開口部から露出することを特徴とする請求項１に記載の醸造室の構造が改善されたコーヒーメーカー。
【請求項３】
前記開口部は、複数があり、且つ前記醸造室の円周方向に沿って均一に分布されることを特徴とする請求項２に記載の醸造室の構造が改善されたコーヒーメーカー。
【請求項４】
前記循環空間は、前記醸造室の底部側壁と前記ハウジングの底部側壁との間の上部空間と、前記醸造室の底板と前記ハウジングの底板との間の下部空間を含むことを特徴とする請求項１に記載の醸造室の構造が改善されたコーヒーメーカー。
【請求項５】
前記醸造室の上方には、注水口が設けられ、前記コーヒー液出口は、前記ハウジングの底板に近接するように前記ハウジングの側壁に設けられ、前記コーヒー液出口の底面は、前記ハウジングの底板と同一平面内にあることを特徴とする請求項４に記載の醸造室の構造が改善されたコーヒーメーカー。
【請求項６】
前記コーヒー液出口の内側には、第一粉末バリアゾーンが設けられることを特徴とする請求項５に記載の醸造室の構造が改善されたコーヒーメーカー。
【請求項７】
前記第一粉末バリアゾーンは、尖った形状を呈し、前記第一粉末バリアゾーンの広口端は、前記コーヒー液出口に対応していることを特徴とする請求項６に記載の醸造室の構造が改善されたコーヒーメーカー。
【請求項８】
前記ハウジングの底板には、複数の第二粉末バリアゾーンが放射状に配列されていることを特徴とする請求項７に記載の醸造室の構造が改善されたコーヒーメーカー
【請求項９】
前記ハウジングの前記底板の板面は、前記コーヒー液出口に向って下向きに傾斜するように設けられることを特徴とする請求項８に記載の醸造室の構造が改善されたコーヒーメーカー
【請求項１０】
各第二フィルター孔から前記醸造室の底板までの高さは、１０ｍｍより大きいであることを特徴とする請求項１に記載の醸造室の構造が改善されたコーヒーメーカー。